(57)【特許請求の範囲】
【請求項１】
ピクセルアレイ領域と、前記ピクセルアレイ領域の近傍に位置する回路設置領域とを含み、前記ピクセルアレイ領域は複数行の行ピクセルユニットを含むように構成されたゲート駆動基板と、
前記回路設置領域に設置され、走査線を通じて走査信号を前記ピクセルアレイ領域の行ピクセルユニットに出力するのに用いられ、前記走査線は前記ピクセルアレイ領域の行ピクセルユニットと各々対応するように構成された複数のゲート駆動ユニットと、
出力端と前記複数のゲート駆動ユニットとが電気的に接続されており、所定の数のシーケンス信号及び１個の開始信号を各周期でいずれも生成するのに用いられるレベルシフタとを含むディスプレイパネルにおいて、
前記レベルシフタはさらに、前記各周期で前記シーケンス信号の数をカウントするのに用いられ、前記シーケンス信号の数が前記所定の数に達していない場合、前記シーケンス信号が有効となるように制御し、且つ前記開始信号が無効となるように制御し、前記シーケンス信号の数が前記所定の数に達すると、前記開始信号が有効となるように制御し、且つ前記シーケンス信号が無効となるように制御し、
前記レベルシフタは、カウンタと、シーケンス制御モジュールと、開始制御モジュールとを含み、
前記カウンタは、前記各周期で前記シーケンス信号の数をカウントするのに用いられ、且つ制御信号を生成し、
前記シーケンス制御モジュールの第１入力端は前記カウンタの出力端に電気的に接続されており、前記制御信号を受信するのに用いられ、前記シーケンス制御モジュールは前記制御信号及びシーケンス入力信号を受信しシーケンスイネーブル信号を生成することで、前記シーケンス信号を前記複数のゲート駆動ユニットに出力するように制御し、
前記開始制御モジュールの第１入力端は前記カウンタの出力端に電気的に接続されており、前記制御信号を受信するのに用いられ、前記開始制御モジュールは前記制御信号及び開始入力信号を受信し開始イネーブル信号を生成することで、前記開始信号を前記複数のゲート駆動ユニットに出力するように制御し、
前記シーケンス制御モジュールはＮＯＴゲートと第１ＡＮＤゲートとを含み、
前記ＮＯＴゲートの入力端は前記カウンタの出力端に電気的に接続されており、前記ＮＯＴゲートの出力端は前記第１ＡＮＤゲートの第１入力端に電気的に接続されており、前記第１ＡＮＤゲートの第２入力端は前記シーケンス入力信号を受信し、前記第１ＡＮＤゲートの出力端は前記シーケンスイネーブル信号を出力することを特徴とするディスプレイパネル。
【請求項２】
前記開始制御モジュールは第２ＡＮＤゲートを含み、
前記第２ＡＮＤゲートの第１入力端は前記カウンタの出力端に接続されており、前記第２ＡＮＤゲートの第２入力端は前記開始入力信号を受信することを特徴とする請求項１に記載のディスプレイパネル。
【請求項３】
ピクセルアレイ領域と、前記ピクセルアレイ領域の近傍に位置する回路設置領域とを含み、前記ピクセルアレイ領域は複数行の行ピクセルユニットを含むように構成されたゲート駆動基板と、
前記回路設置領域に設置され、走査信号を前記ピクセルアレイ領域の行ピクセルユニットに出力するのに用いられる複数のゲート駆動ユニットと、
出力端と前記複数のゲート駆動ユニットとが電気的に接続されており、所定の数のシーケンス信号及び１個の開始信号を各周期でいずれも生成するのに用いられるレベルシフタとを含むディスプレイパネルにおいて、
前記レベルシフタはさらに、前記各周期で前記シーケンス信号の数をカウントするのに用いられ、前記シーケンス信号の数が前記所定の数に達していない場合、前記シーケンス信号が有効となるように制御し、且つ前記開始信号が無効となるように制御し、前記シーケンス信号の数が前記所定の数に達すると、前記開始信号が有効となるように制御し、且つ前記シーケンス信号が無効となるように制御し、
前記レベルシフタは、カウンタと、シーケンス制御モジュールと、開始制御モジュールとを含み、
前記カウンタは、前記各周期で前記シーケンス信号の数をカウントするのに用いられ、且つ制御信号を生成し、
前記シーケンス制御モジュールの第１入力端は前記カウンタの出力端に電気的に接続されており、前記制御信号を受信するのに用いられ、前記シーケンス制御モジュールは前記制御信号及びシーケンス入力信号を受信しシーケンスイネーブル信号を生成することで、前記シーケンス信号を前記複数のゲート駆動ユニットに出力するように制御し、
前記開始制御モジュールの第１入力端は前記カウンタの出力端に電気的に接続されており、前記制御信号を受信するのに用いられ、前記開始制御モジュールは前記制御信号及び開始入力信号を受信し開始イネーブル信号を生成することで、前記開始信号を前記複数のゲート駆動ユニットに出力するように制御し、
前記シーケンス制御モジュールはＮＯＴゲートと第１ＡＮＤゲートとを含み、
前記ＮＯＴゲートの入力端は前記カウンタの出力端に電気的に接続されており、前記ＮＯＴゲートの出力端は前記第１ＡＮＤゲートの第１入力端に電気的に接続されており、前記第１ＡＮＤゲートの第２入力端は前記シーケンス入力信号を受信し、前記第１ＡＮＤゲートの出力端は前記シーケンスイネーブル信号を出力することを特徴とするディスプレイパネル。
【請求項４】
前記開始制御モジュールは第２ＡＮＤゲートを含み、
前記第２ＡＮＤゲートの第１入力端は前記カウンタの出力端に接続されており、前記第２ＡＮＤゲートの第２入力端は前記開始入力信号を受信することを特徴とする請求項３に記載のディスプレイパネル。
【請求項５】
ゲート駆動基板と、複数のゲート駆動ユニットと、レベルシフタとを含み、前記ゲート駆動基板はピクセルアレイ領域と、前記ピクセルアレイ領域の近傍に位置する回路設置領域とを含み、前記ピクセルアレイ領域は複数行の行ピクセルユニットを含み、前記複数のゲート駆動ユニットは前記回路設置領域に設置されており、走査信号を前記ピクセルアレイ領域の行ピクセルユニットに出力するのに用いられるように構成されたディスプレイパネルのゲート信号制御方法において、
前記レベルシフタの出力端を前記複数のゲート駆動ユニットに電気的に接続し、前記レベルシフタを所定の数のシーケンス信号及び１個の開始信号を各周期でいずれも生成するのに用いるステップと、
前記レベルシフタをさらに、前記各周期で前記シーケンス信号の数をカウントするのに用い、前記シーケンス信号の数が前記所定の数に達していない場合、前記シーケンス信号が有効となるように制御し、且つ前記開始信号が無効となるように制御するステップと、
前記シーケンス信号の数が前記所定の数に達すると、前記開始信号が有効となるように制御し、且つ前記シーケンス信号が無効となるように制御するステップとを含み、
前記レベルシフタは、カウンタと、シーケンス制御モジュールと、開始制御モジュールとを含み、
前記カウンタは、前記各周期で前記シーケンス信号の数をカウントするのに用いられ、且つ制御信号を生成し、
前記シーケンス制御モジュールの第１入力端は前記カウンタの出力端に電気的に接続されており、前記制御信号を受信するのに用いられ、前記シーケンス制御モジュールは前記制御信号及びシーケンス入力信号を受信しシーケンスイネーブル信号を生成することで、前記シーケンス信号を前記複数のゲート駆動ユニットに出力するように制御し、
前記開始制御モジュールの第１入力端は前記カウンタの出力端に電気的に接続されており、前記制御信号を受信するのに用いられ、前記開始制御モジュールは前記制御信号及び開始入力信号を受信し開始イネーブル信号を生成することで、前記開始信号を前記複数のゲート駆動ユニットに出力するように制御し、
前記シーケンス制御モジュールはＮＯＴゲートと第１ＡＮＤゲートとを含み、
前記ＮＯＴゲートの入力端は前記カウンタの出力端に電気的に接続されており、前記ＮＯＴゲートの出力端は前記第１ＡＮＤゲートの第１入力端に電気的に接続されており、前記第１ＡＮＤゲートの第２入力端は前記シーケンス入力信号を受信し、前記第１ＡＮＤゲートの出力端は前記シーケンスイネーブル信号を出力することを特徴とするディスプレイパネルのゲート信号制御方法。
【請求項６】
前記開始制御モジュールは第２ＡＮＤゲートを含み、
前記第２ＡＮＤゲートの第１入力端は前記カウンタの出力端に接続されており、前記第２ＡＮＤゲートの第２入力端は前記開始入力信号を受信することを特徴とする請求項５に記載のディスプレイパネルのゲート信号制御方法。
【発明の詳細な説明】
【技術分野】
【０００１】
本発明は、ディスプレイ技術の分野に関するものであり、特にディスプレイパネル及びディスプレイパネルのゲート信号制御方法に関する。
【背景技術】
【０００２】
ゲート駆動基板（ＧＯＡ、Ｇａｔｅ  ｏｎ  Ａｒｒａｙ）は、ＴＦＴ−ＬＣＤ内部のＴＦＴ回路及びＣＢ上のレベルシフタ（Ｌｅｖｅｌ  Ｓｈｉｆｔｅｒ  ＩＣ）を用いて、必要とするゲート（Ｇａｔｅ）信号を生成する。レベルシフタによって生成される信号はいずれも、シーケンスコントローラによって制御され、すなわち、シーケンスコントローラはレベルシフタが必要とする信号を生成し、レベルシフタは当該信号をさらにゲート駆動基板が必要とする信号に変換し、且つ変換の評価を行なう。この方法により、ＧａｔｅＩＣを効果的に節約することができ、コストの削減という実益をもたらすことができる。
【０００３】
しかしながら、シーケンスコントローラのモード切り替え時や、信号の変換時及び干渉時において、異常な出力信号が発生する場合があることに起因して、レベルシフタでも異常な信号が発生する場合がある。その際、パネル内のＧＯＡ回路が一つの完全な周期を完結させることができなくなる場合があり、これに起因して、一部の回路中の電荷を放出することができず、大量の電流が発生する。
【０００４】
このため、従来技術に存在する問題を解決するような、ディスプレイパネル及びディスプレイパネルのゲート信号制御方法を提供する必要がある。
【発明の概要】
【発明が解決しようとする課題】
【０００５】
本発明の目的は、ディスプレイパネル及びディスプレイパネルのゲートライン駆動方法を提供することであり、当該ディスプレイパネル及び駆動方法により、パネル内のＧＯＡ回路は一つの完全な周期を完結させることができ、回路中の電荷を十分に放出させることができるため、大量の電流が発生することはない。
【課題を解決するための手段】
【０００６】
上述の課題を解決するために、本発明の好ましい実施形態はディスプレイパネルを提供し、当該ディスプレイパネルは、
【０００７】
ピクセルアレイ領域と、前記ピクセルアレイ領域の近傍に位置する回路設置領域とを含み、前記ピクセルアレイ領域は複数行の行ピクセルユニットを含むように構成されたゲート駆動基板と、
【０００８】
前記回路設置領域に設置され、走査線を通じて走査信号を前記ピクセルアレイ領域の行ピクセルユニットに出力するのに用いられ、前記走査線は前記ピクセルアレイ領域の行ピクセルユニットと各々対応するように構成された複数のゲート駆動ユニットと、
【０００９】
出力端と前記複数のゲート駆動ユニットとが電気的に接続されており、所定の数のシーケンス信号及び１個の開始信号を各周期でいずれも生成するのに用いられるレベルシフタとを含み、
【００１０】
前記レベルシフタはさらに、前記各周期で前記シーケンス信号の数をカウントするのに用いられ、前記シーケンス信号の数が前記所定の数に達していない場合、前記シーケンス信号が有効となるように制御し、且つ前記開始信号が無効となるように制御し、前記シーケンス信号の数が前記所定の数に達すると、前記開始信号が有効となるように制御し、且つ前記シーケンス信号が無効となるように制御し、
【００１１】
前記レベルシフタは、カウンタと、シーケンス制御モジュールと、開始制御モジュールとを含み、
【００１２】
前記カウンタは、前記各周期で前記シーケンス信号の数をカウントするのに用いられ、且つ制御信号を生成し、
【００１３】
前記シーケンス制御モジュールの第１入力端は前記カウンタの出力端に電気的に接続されており、前記制御信号及びシーケンス入力信号を受信するのに用いられ、前記シーケンス制御モジュールはシーケンスイネーブル信号を生成することで、前記シーケンス信号を前記複数のゲート駆動ユニットに出力するように制御し、
【００１４】
前記開始制御モジュールの第１入力端は前記カウンタの出力端に電気的に接続されており、前記制御信号及び開始入力信号を受信するのに用いられ、前記開始制御モジュールは開始イネーブル信号を生成することで、前記開始信号を前記複数のゲート駆動ユニットに出力するように制御する。
【００１５】
本発明のディスプレイパネルにおいて、前記シーケンス制御モジュールはＮＯＴゲートと第１ＡＮＤゲートとを含み、
【００１６】
前記ＮＯＴゲートの入力端は前記カウンタの出力端に電気的に接続されており、前記ＮＯＴゲートの出力端は前記第１ＡＮＤゲートの第１入力端に電気的に接続されており、前記第１ＡＮＤゲートの第２入力端は前記シーケンス入力信号を受信する。
【００１７】
本発明のディスプレイパネルにおいて、前記開始制御モジュールは第２ＡＮＤゲートを含み、
【００１８】
前記第２ＡＮＤゲートの第１入力端は前記カウンタの出力端に接続されており、前記第２ＡＮＤゲートの第２入力端は前記開始入力信号を受信する。
【００１９】
上記の課題を解決するために、本発明の好ましい実施形態はさらにディスプレイパネルを提供し、当該ディスプレイパネルは、
【００２０】
ピクセルアレイ領域と、前記ピクセルアレイ領域の近傍に位置する回路設置領域とを含み、前記ピクセルアレイ領域は複数行の行ピクセルユニットを含むように構成されたゲート駆動基板と、
【００２１】
前記回路設置領域に設置され、走査信号を前記ピクセルアレイ領域の行ピクセルユニットに出力するのに用いられる複数のゲート駆動ユニットと、
【００２２】
出力端と前記複数のゲート駆動ユニットとが電気的に接続されており、所定の数のシーケンス信号及び１個の開始信号を各周期でいずれも生成するのに用いられるレベルシフタとを含み、
【００２３】
前記レベルシフタはさらに、前記各周期で前記シーケンス信号の数をカウントするのに用いられ、前記シーケンス信号の数が前記所定の数に達していない場合、前記シーケンス信号が有効となるように制御し、且つ前記開始信号が無効となるように制御し、前記シーケンス信号の数が前記所定の数に達すると、前記開始信号が有効となるように制御し、且つ前記シーケンス信号が無効となるように制御する。
【００２４】
本発明のディスプレイパネルにおいて、前記レベルシフタは、カウンタと、シーケンス制御モジュールと、開始制御モジュールとを含み、
【００２５】
前記カウンタは、前記各周期で前記シーケンス信号の数をカウントするのに用いられ、且つ制御信号を生成し、
【００２６】
前記シーケンス制御モジュールの第１入力端は前記カウンタの出力端に電気的に接続されており、前記制御信号及びシーケンス入力信号を受信するのに用いられ、前記シーケンス制御モジュールはシーケンスイネーブル信号を生成することで、前記シーケンス信号を前記複数のゲート駆動ユニットに出力するように制御し、
【００２７】
前記開始制御モジュールの第１入力端は前記カウンタの出力端に電気的に接続されており、前記制御信号及び開始入力信号を受信するのに用いられ、前記開始制御モジュールは開始イネーブル信号を生成することで、前記開始信号を前記複数のゲート駆動ユニットに出力するように制御する。
【００２８】
本発明のディスプレイパネルにおいて、前記シーケンス制御モジュールはＮＯＴゲートと第１ＡＮＤゲートとを含み、
【００２９】
前記ＮＯＴゲートの入力端は前記カウンタの出力端に電気的に接続されており、前記ＮＯＴゲートの出力端は前記第１ＡＮＤゲートの第１入力端に電気的に接続されており、前記第１ＡＮＤゲートの第２入力端は前記シーケンス入力信号を受信する。
【００３０】
本発明のディスプレイパネルにおいて、前記開始制御モジュールは第２ＡＮＤゲートを含み、
【００３１】
前記第２ＡＮＤゲートの第１入力端は前記カウンタの出力端に接続されており、前記第２ＡＮＤゲートの第２入力端は前記開始入力信号を受信する。
【００３２】
上記の課題を解決するために、本発明の好ましい実施形態はさらにディスプレイパネルのゲート信号制御方法を提供し、前記ディスプレイパネルは、
ゲート駆動基板と、複数のゲート駆動ユニットと、レベルシフタとを含み、前記ゲート駆動基板はピクセルアレイ領域と、前記ピクセルアレイ領域の近傍に位置する回路設置領域とを含み、前記ピクセルアレイ領域は複数行の行ピクセルユニットを含み、前記複数のゲート駆動ユニットは前記回路設置領域に設置されており、走査信号を前記ピクセルアレイ領域の行ピクセルユニットに出力するのに用いられ、
【００３３】
前記制御方法は、
【００３４】
前記レベルシフタの出力端を前記複数のゲート駆動ユニットに電気的に接続し、前記レベルシフタを所定の数のシーケンス信号及び１個の開始信号を各周期でいずれも生成するのに用いるステップと、
【００３５】
前記レベルシフタをさらに、前記各周期で前記シーケンス信号の数をカウントするのに用い、前記シーケンス信号の数が前記所定の数に達していない場合、前記シーケンス信号が有効となるように制御し、且つ前記開始信号が無効となるように制御するステップと、
前記シーケンス信号の数が前記所定の数に達すると、前記開始信号が有効となるように制御し、且つ前記シーケンス信号が無効となるように制御するステップとを含む。
【００３６】
本発明のディスプレイパネルのゲート信号制御方法において、前記レベルシフタは、カウンタと、シーケンス制御モジュールと、開始制御モジュールとを含み、
【００３７】
前記カウンタは、前記各周期で前記シーケンス信号の数をカウントするのに用いられ、且つ制御信号を生成し、
【００３８】
前記シーケンス制御モジュールの第１入力端は前記カウンタの出力端に電気的に接続されており、前記制御信号及びシーケンス入力信号を受信するのに用いられ、前記シーケンス制御モジュールはシーケンスイネーブル信号を生成することで、前記シーケンス信号を前記複数のゲート駆動ユニットに出力するように制御し、
【００３９】
前記開始制御モジュールの第１入力端は前記カウンタの出力端に電気的に接続されており、前記制御信号及び開始入力信号を受信するのに用いられ、前記開始制御モジュールは開始イネーブル信号を生成することで、前記開始信号を前記複数のゲート駆動ユニットに出力するように制御する。
【００４０】
本発明のディスプレイパネルのゲート信号制御方法において、前記シーケンス制御モジュールはＮＯＴゲートと第１ＡＮＤゲートとを含み、
【００４１】
前記ＮＯＴゲートの入力端は前記カウンタの出力端に電気的に接続されており、前記ＮＯＴゲートの出力端は前記第１ＡＮＤゲートの第１入力端に電気的に接続されており、前記第１ＡＮＤゲートの第２入力端は前記シーケンス入力信号を受信する。
【００４２】
本発明のディスプレイパネルのゲート信号制御方法において、前記開始制御モジュールは第２ＡＮＤゲートを含み、
【００４３】
前記第２ＡＮＤゲートの第１入力端は前記カウンタの出力端に接続されており、前記第２ＡＮＤゲートの第２入力端は前記開始入力信号を受信する。
【発明の効果】
【００４４】
従来技術に対し、本発明の有益な効果は以下の通りである。レベルシフタが前記シーケンス信号の数をカウントし、前記シーケンス信号の数が所定の数に達していない場合、シーケンス信号が有効となるように制御し、且つ開始信号が無効となるように制御する。シーケンス信号の数が所定の数に達すると、開始信号が有効となるように制御し、且つシーケンス信号が無効となるように制御する。従って、パネル内のＧＯＡ回路は一つの完全な周期を完結させることができるため、回路中の電荷を十分に放出させることができ、大量の電流が発生することはない。
【００４５】
本発明における上述の内容をより明確に理解するために、以下の記載において好ましい実施形態を挙げ、添付の図面と合せて詳述する。
【図面の簡単な説明】
【００４６】
以下において、添付の図面を参照して、本発明の具体的な実施形態について詳述することで、本発明の技術案及びその他の有益な効果を明らかにする。
【００４７】
【図１】図１は、本発明の実施形態におけるディスプレイパネルの構造を示す図である。
【００４８】
【図２】図２は、従来のレベルシフタの信号波形図である。
【００４９】
【図３】図３は、本発明の実施形態におけるレベルシフタの信号波形図である。
【００５０】
【図４】図４は、本発明の実施形態におけるレベルシフタの外部ピンを示す図である。
【００５１】
【図５】図５は、本発明の実施形態におけるレベルシフタの内部回路を示す図である。
【００５２】
【図６】図６は、本発明の実施形態におけるディスプレイパネルのゲート信号制御方法のフロートチャートである。
【発明を実施するための形態】
【００５３】
ここで開示する具体的な構造及び機能の詳細は代表的なものでしかなく、本発明の例示的な実施形態を説明するためのものである。しかしながら、本発明は多数の代替する形式によって具体的に実現することができ、本発明がここで詳述する実施形態にのみ限定されると解釈するのは妥当ではない。
【００５４】
本発明の記載における理解すべき事項として、用語「中心」、「横方向」、「上」、「下」、「左」、「右」、「垂直」、「水平」、「頂部」、「底部」、「内」、「外」等が指し示す方向又は位置関係は、添付の図面に示される方向又は位置関係に基づくものであり、単に本発明の説明のため、及び当該説明の簡便化を図るためのものである。これら用語は、所定の装置又は部品が特定の方向性を有し、特定の方向において構築及び操作されるべきことを示すもの又は暗示するものではない。従って、これら用語は、本発明を限定するものであると理解してはならない。さらに、用語「第１」、「第２」は単に説明目的のためのものであり、重要性を示すもの又は暗示するものであると理解してはならず、或いは所定の技術特徴の数量を暗に示すものであると理解してはならない。すなわち、「第１」、「第２」と限定された特徴部分は、明らかに又は暗に一の又は複数の当該特徴部分を含む場合がある。本発明の記載において、特に明記しない限り、「複数」は、二又は二以上を意味するものである。また、用語「含む」及びその変形した表現のいずれも、非排他的な包含を網羅することを意図とする。
【００５５】
本発明の記載における説明すべき事項として、明らかな規定又は限定がある場合を除き、用語「取り付け」、「連結」、「接続」は広義に理解されるべきであり、例えば、固定接続、着脱可能な接続又は一体型接続である場合と；機械的接続、電気的接続である場合と；直接連結、中間の媒介物を介した間接的な連結、二つの部品の内部での連通である場合と、が考えられる。本分野における通常の知識を有する者は、具体的な状況に基づいて、本発明におけるこれら用語の具体的な意義を理解されたい。
【００５６】
本明細書等で用いられる用語は、単に具体的な実施形態を説明するためのものであり、例示的な実施形態を限定するためのものではない。前後の文で明らかに示す場合を除き、ここで用いられる単数表現の「一つ」、「一項」は複数の場合をも含むことを意味する。本明細書等で用いられている用語である「含む」及び／又は「包含」は、記載された特徴、整数、工程、操作、ユニット及び／又は構成要素の存在を規定し、一の又は複数のその他の特徴、整数、工程、操作、ユニット、構成要素及び／又はその組み合わせをさらに存在させること又は追加することは、排除されないと理解するのが妥当である。
【００５７】
図中、類似の構造を有するユニットには同一の符号が付されている。
【００５８】
図１乃至図６を参照して、本発明の実施形態に係るディスプレイパネル及びその製造工程を以下に説明する。
【００５９】
本発明の実施形態において、図１乃至図６に示すように、図１は、本発明の実施形態に係るディスプレイパネルの構造概略図であり；図２は、既存のレベルシフタの信号波形を示す図であり；図３は、本発明の実施形態におけるレベルシフタの信号波形を示す図であり；図４は、本発明の実施形態におけるレベルシフタの外部ピンを示す図であり；図５は、本発明の実施形態におけるレベルシフタの内部回路を示す図であり；図６は、本発明の実施形態におけるディスプレイパネルのゲート信号制御方法を示すフローチャートである。
【００６０】
図１に示すように、本発明の実施形態はディスプレイパネルを開示するものであり、当該ディスプレイパネルは、ゲート駆動基板１００と、複数のゲート駆動ユニット１３０と、レベルシフタ１４０とを含む。
【００６１】
前記ゲート駆動基板１００は、ピクセルアレイ領域１１０と、前記ピクセルアレイ領域１１０の近傍に位置する回路設置領域１２０とを含み、前記ピクセルアレイ領域１１０は複数行の行ピクセルユニットを含む。複数のゲート駆動ユニット１３０は回路設置領域１２０に設置されており、走査信号を前記ピクセルアレイ領域１１０の行ピクセルユニットに出力するのに用いられる。前記レベルシフタ１４０の出力端と前記複数のゲート駆動ユニット１３０は電気的に接続されており、所定の数のシーケンス信号及び１個の開始信号を各周期でいずれも生成するのに用いられる。
【００６２】
前記レベルシフタはさらに、各周期で前記シーケンス信号の数をカウントするのに用いられる。前記シーケンス信号の数が所定の数に達していない場合、前記シーケンス信号が有効となるように制御し、且つ前記開始信号が無効となるように制御する。前記シーケンス信号の数が所定の数に達すると、前記開始信号が有効となるように制御し、且つ前記シーケンス信号が無効となるように制御する。
【００６３】
なお、既存の技術におけるレベルシフタと比較して、当該好ましい実施形態におけるディスプレイパネルのレベルシフタには、シーケンス信号の数をカウントする機能が付加されており、生成されたシーケンス信号の数をカウントすることで、各フレーム周期の完全性を確保することができる。
【００６４】
当該好ましい実施形態におけるディスプレイパネルでは、レベルシフタを通じて前記シーケンス信号の数をカウントする。前記シーケンス信号の数が所定の数に達していない場合、シーケンス信号が有効となるように制御し、且つ開始信号が無効となるように制御する。シーケンス信号の数が所定の数に達すると、開始信号が有効となるように制御し、且つシーケンス信号が無効となるように制御する。従って、パネル内のＧＯＡ回路は一つの完全なフレーム周期を完結させることができるため、回路中の電荷を十分に放出させることができ、大量の電流が発生することはない。
【００６５】
以下において、ＨＤ（Ｈｉｇｈ  Ｄｅｆｉｎｉｔｉｏｎ、高解像度）機種を例にとって説明する。図２に示すように、一つの完全な表示周期はいずれも、１個のＰｕｌｓｅの開始信号と、１９２個のＰｕｌｓｅのシーケンス信号とを含む。これからわかるように、シーケンス信号が１９２個出力されておらず、且つ、各々のシーケンス信号が１９１番目のパルスまで出力されたときに、次のフレームの開始信号が既に到来しており、この時点で既に一つの完全な周期を完結させることができず、一部の回路中の電荷を放出することができないという事態を引き起こし、大量の電流が発生する。
【００６６】
図３に示すように、本実施形態では、レベルシフタ（Ｌｅｖｅｌ  Ｓｈｉｆｔｅｒ）の内部制御機能を利用し、レベルシフタで前記シーケンス信号の数をカウントする。前記シーケンス信号の数が所定の数に達していない場合、シーケンス信号が有効となるように制御し、且つ開始信号が無効となるように制御する。シーケンス信号の数が所定の数に達すると、開始信号が有効となるように制御し、且つシーケンス信号が無効となるように制御する。従って、パネル内のＧＯＡ回路は一つの完全な周期を完結させることができるため、回路中の電荷を十分に放出させることができ、大量の電流が発生することはない。
【００６７】
図４及び図５に示すように、前記レベルシフタ１４０は、カウンタ５０１と、シーケンス制御モジュール５０２と、開始制御モジュール５０３とを含む。前記カウンタ５０１は、各周期で前記シーケンス信号ＣＫ１、ＣＫ２、ＣＫ３又はＣＫ４の数をカウントするのに用いられ、且つ、制御信号ＥＮを生成する。前記シーケンス制御モジュール５０２の第１入力端は、前記カウンタ５０１の出力端に電気的に接続されており、前記制御信号ＥＮ及びシーケンス入力信号ＣＫＩＮ１又はＣＫＩＮ２を受信するのに用いられる。加えて、前記シーケンス制御モジュール５０２は、シーケンスイネーブル信号ＣＫＥＮを生成することで、前記シーケンス信号ＣＫ１、ＣＫ２、ＣＫ３又はＣＫ４を前記複数のゲート駆動ユニット１３０に出力するように制御する。前記開始制御モジュール５０３の第１入力端は、前記カウンタ２０１の出力端に電気的に接続されており、前記制御信号ＥＮ及び開始入力信号ＳＴＶＩＮを受信するのに用いられる。加えて、前記開始制御モジュール５０３は、開始イネーブル信号ＳＴＶＥＮを生成することで、前記開始信号ＳＴＶを前記複数のゲート駆動ユニット１３０に出力するように制御する。
【００６８】
さらに、前記シーケンス制御モジュール５０２は、ＮＯＴゲート５０２１と、第１ＡＮＤゲート５０２２とを含む。前記ＮＯＴゲート５０２１の入力端は、前記カウンタ５０１の出力端に電気的に接続されている。前記ＮＯＴゲート５０２１の出力端は、前記第１ＡＮＤゲート５０２２の第１入力端に電気的に接続されている。前記第１ＡＮＤゲート５０２２の第２入力端は、前記シーケンス入力信号ＣＫＩＮ１又はＣＫＩＮ２を受信する。前記開始制御モジュール５０３は第２ＡＮＤゲート５０３１を含み、前記第２ＡＮＤゲート５０３１の第１入力端は前記カウンタ５０１の出力端に接続されており、前記第２ＡＮＤゲート５０３１の第２入力端は前記開始入力信号ＳＴＶＩＮを受信する。
【００６９】
図６に示すように、本発明の実施形態はさらに、ディスプレイパネルのゲート信号制御方法を開示する。前記ディスプレイパネルは、ゲート駆動基板と、複数のゲート駆動ユニットと、レベルシフタとを含む。前記ゲート駆動基板は、ピクセルアレイ領域と、前記ピクセルアレイ領域の近傍に位置する回路設置領域とを含み、前記ピクセルアレイ領域は複数行の行ピクセルユニットを含む。前記複数のゲート駆動ユニットは前記回路設置領域に設置されており、走査信号を前記ピクセルアレイ領域の行ピクセルユニットに出力するのに用いられる。
【００７０】
前記制御方法は、ステップＳ２０１乃至ステップＳ２０３を含む。
【００７１】
ステップＳ２０１：前記レベルシフタの出力端を前記複数のゲート駆動ユニットに電気的に接続し、前記レベルシフタはシーケンス信号及び開始信号を生成するのに用いられる。
【００７２】
ステップＳ２０２：前記シーケンス信号の数が所定の数に達していない場合、前記シーケンス信号が有効となるように制御し、且つ前記開始信号が無効となるように制御する。
【００７３】
ステップＳ２０３：前記シーケンス信号の数が所定の数に達すると、前記開始信号が有効となるように制御し、且つ前記シーケンス信号が無効となるように制御する。
【００７４】
当該好ましい実施形態におけるディスプレイパネルのゲートラインの制御方法では、レベルシフタを通じて前記シーケンス信号の数をカウントし、前記シーケンス信号の数が所定の数に達していない場合、シーケンス信号が有効となるように制御し、且つ開始信号が無効となるように制御する。シーケンス信号の数が所定の数に達すると、開始信号が有効となるように制御し、且つシーケンス信号が無効となるように制御する。従って、パネル内のＧＯＡ回路は一つの完全な周期を完結させることができるため、回路中の電荷を十分に放出させることができ、大量の電流が発生することはない。
【００７５】
さらに、前記レベルシフタは、カウンタと、シーケンス制御モジュールと、開始制御生成モジュールとを含む。前記カウンタは、前記シーケンス信号の数をカウントするのに用いられ、且つ、制御信号を生成する。前記シーケンス制御モジュールの第１入力端は、前記カウンタの出力端に電気的に接続されており、前記制御信号及びシーケンス入力信号を受信するのに用いられる。加えて、前記シーケンス制御モジュールは、シーケンスイネーブル信号を生成することで、前記シーケンス信号を前記複数のゲート駆動ユニットに出力するように制御する。前記開始制御モジュールの第１入力端は、前記カウンタの出力端に電気的に接続されており、前記制御信号及び開始入力信号を受信するのに用いられる。加えて、前記開始制御モジュールは、開始イネーブル信号を生成することで、前記開始信号を前記複数のゲート駆動ユニットに出力するように制御する。
【００７６】
前記シーケンス制御モジュールは、ＮＯＴゲートと、第１ＡＮＤゲートとを含む。前記ＮＯＴゲートの入力端は、前記カウンタの出力端に電気的に接続されている。前記ＮＯＴゲートの出力端は、前記第１ＡＮＤゲートの第１入力端に電気的に接続されている。前記第１ＡＮＤゲートの第２入力端は、前記シーケンス入力信号を受信する。
【００７７】
前記開始制御モジュールは第２ＡＮＤゲートを含み、前記第２ＡＮＤゲートの第１入力端は前記カウンタの出力端に接続されており、前記第２ＡＮＤゲートの第２入力端は前記開始入力信号を受信する。
【００７８】
本発明のディスプレイパネル及びディスプレイパネルのゲートラインの制御方法において、レベルシフタが前記シーケンス信号の数をカウントし、前記シーケンス信号の数が所定の数に達していない場合、シーケンス信号が有効となるように制御し、且つ開始信号が無効となるように制御する。シーケンス信号の数が所定の数に達すると、開始信号が有効となるように制御し、且つシーケンス信号が無効となるように制御する。従って、パネル内のＧＯＡ回路は一つの完全な周期を完結させることができるため、回路中の電荷を十分に放出させることができ、大量の電流が発生することはない。
【００７９】
以上のように、本発明は上記の好ましい実施形態により開示されたが、上記の好ましい実施形態は本発明を限定するものではない。本発明の趣旨及び範囲から逸脱しない限りにおいて、本分野における通常の技術者はいずれも、様々な変更及び改変を施すことができる。従って、本発明の保護範囲は、特許請求の範囲によって定められた範囲を基準とする。
【図１】
0006922146.tif 000002
【図２】
0006922146.tif 000003
【図３】
0006922146.tif 000004
【図４】
0006922146.tif 000005
【図５】
0006922146.tif 000006
【図６】
0006922146.tif 000007